(57)【要約】【課題】    温室屋根を必要に応じ閉鎖、微開または全開することができ、温室の雨よけ、防虫、通気、日光の導入を可能にする温室屋根の開閉構造の提供。【解決手段】    温室の二側面上部に２つの開閉板を軸接し、そのうち１つの開閉板の上端に折辺を成型して設け、該２つの開閉板の上端が相互に合わさり屋根を形成する。該２つの開閉板には突っ張り棒がそれぞれ軸接され、該突っ張り棒の別の一端は開閉板以外の温室の本体上に軸接され、該突っ張り棒は外管に内棒が穿通され、別途動力に接続されて内棒を軸方向に伸縮させることができ、突っ張り棒の軸方向の伸縮が開閉板を作動して軸回転させ、２つの開閉板間の相対的位置が変化し、温室屋根に開閉の変化をさせる。【選択図】    図１
0003104808.tif 000002
【実用新案登録請求の範囲】
【請求項１】
温室屋根の開閉構造であって、温室の二側面上部に２つの開閉板が軸接され、そのうち１つの開閉板の上端に折辺を成型して設け、該２つの開閉板の上端が相互に合わさり屋根を形成し、該２つの開閉板はそれぞれに軸接された突っ張り棒を備え、該突っ張り棒の別の一端は開閉板以外の温室本体上に軸接され、該突っ張り棒は外管に内棒を穿通して成り、動力に接続されて該内棒が軸方向に伸縮し、開閉板を作動し回動させて該２つの開閉板間の相対位置を変化させる温室屋根の開閉構造。
【請求項２】
該突っ張り棒の外管の一端と接続部品が連結され、該接続部品は内部に相互に噛み合うネジ棒と環状歯車を備え、該環状歯車は２つの軸受リングに挟まれて位置し、前記内棒はネジ線を備え、該環状歯車の中心のネジ孔に螺合され、該内棒の一端に滑動突起が形成され、前記外管内に穿入された請求項1に記載の温室屋根の開閉構造。
【請求項３】
前記外管が短管の形態であり、該外管の一端は位置決め部品により接続部品と連結され、該接続部品は二端にそれぞれ位置決め部品を備え、該接続部品内に相互に噛み合うネジ棒と環状歯車が設置され、内棒が該接続部品を介し穿入され該環状歯車の内側と噛合された請求項1に記載の温室屋根の開閉構造。  
【考案の詳細な説明】
【技術分野】
【０００１】
本考案は、温室の屋根の開閉構造に関し、特に、温室の屋根を必要に応じ閉合、微開または全開させる温室屋根の開閉構造に関する。
【背景技術】
【０００２】
温室は、ほとんどが柱や梁と屋根を組み合わせ、被覆材で覆って形成され、遮光や雨よけ、害虫の進入防止などに利用される。また、温室はその周囲壁面に温室内外の通気を促すために用いるファンが設けられている。
【０００３】
しかしながら、従来の温室の屋根は、ほとんどがトタン板材料を利用し被せただけの固定式の屋根構造となっており、採光の必要があれば透明のトタン板を採用し、強すぎる日光を避けたいときは、温室内に別途遮光用資材を掛け、採光条件を変化させる必要がある際は、通常人力で遮光用資材の面積を変化させる必要があり、実施上不便である。日光は肥料に含まれる硝酸塩の揮発を助けるため、揮発させた硝酸塩を適度に温室の外へ排出するため、従来の方法においてはファンや換気扇等電気器具を用いて室内外の通気を促す方法がとられており、消費電力が大きいという問題もある。
【考案の開示】
【考案が解決しようとする課題】
【０００４】
本考案の目的は、温室屋根を必要に応じ閉鎖、微開または全開することができ、温室の雨よけ、防虫、通気、日光の導入を可能にする温室屋根の開閉構造を提供することにある。
【課題を解決するための手段】
【０００５】
本考案は、温室屋根の開閉構造であって、温室の二側面上部に２つの開閉板を軸接し、そのうち１つの開閉板の上端に折辺を成型して設け、該２つの開閉板の上端が相互に合わさり屋根を形成する。該２つの開閉板には突っ張り棒がそれぞれ軸接され、該突っ張り棒の別の一端は開閉板以外の温室の本体上に軸接され、該突っ張り棒は外管に内棒が穿通され、別途動力に接続されて内棒を軸方向に伸縮させることができ、突っ張り棒の軸方向の伸縮が開閉板を作動して軸回転させ、２つの開閉板間の相対的位置が変化し、温室屋根に開閉の変化をさせる。
【考案を実施するための最良の形態】
【０００６】
本考案は、温室以外にも其他例えば家畜の飼育小屋等にも適用することができる。
【実施例１】
【０００７】
図１に示すように、本考案は、温室の両側面上部に２つの開閉板１、２が軸接され、そのうち、１つの開閉板の上端に折辺１１を成型して設け、該折辺１１がもう一方の開閉板２の上端を支持し、錐状の屋根を形成する。該２つの開閉板１、２の内側は縱横に組まれた支持フレーム１２、２１を備え、該等支持フレーム１２、２１と温室上部桁３の間に相互に適切な間隔をおいて複数の突っ張り棒４が設置される。該突っ張り棒４は、外管４１に内棒４２を穿通して成り、別途動力に接続されて該内棒４２を軸方向に伸縮させることができ、該突っ張り棒４の一端は上述の支持フレーム１２に軸接され、別の一端は開閉板１、２以外の温室本体上に軸接され、本実施例においては、突っ張り棒４のこの別の一端は温室上部桁３上に軸接される。
【０００８】
該突っ張り棒４の詳細な構造を図２に示す。外管４１の一端に接続部品４３が組み込まれ、該接続部品４３内に環状歯車４５及び２つの軸受リング４５０が設置され、該接続部品４３上方には相通する筒体４３１が設けられ、該筒体４３１内に前記環状歯車４５と噛み合うネジ棒４４が組み込まれる。該内棒４２の棒体はネジ線を備え、前記環状歯車４５の中心のネジ孔４５１に螺合されると共に、該内棒４２の一端に滑動突起４２１を設ける。該接続部品４３と筒体４３１の開口部には、それぞれ位置決め部品４６、４７、４８が螺設され、前記内棒４２が該位置決め部品４６、４７を介し穿通されると共に、前記ネジ棒４４が該位置決め部品４８を介して穿通される。各位置決め部品４６、４７、４８は、ピン４９を穿通して固定され、そのうち、位置決め部品４６はやや長く設けられており、外管４１の一端が該位置決め部品４６に螺接された後さらにピン４９を穿通し固定される。該ネジ棒４４が回転すると、環状歯車４５が回動され、該内棒４２を軸方向に移動させる。相隣する各突っ張り棒４間は別途接続棒４４１により連結され、さらに突っ張り棒４の接続部品４３の箇所に別途モーター４０を設置するための座体４３２を設け、該モーター４０により該箇所のネジ棒４４が駆動され、該接続棒４４１の伝動を介し、各ネジ棒４４が同時に回転し、各突っ張り棒４が同時に作動する。 
【０００９】
温室上部の２つの開閉板１、２が閉じられ密閉した錐状の屋根を形成するとき、図３に示すように、開閉板１、２の内面の支持フレーム１２、２１と温室上部桁３間を連結する突っ張り棒４が短くなり、該開閉板１の折辺１１が別の開閉板２の上端を支持し、風雨の進入を防ぐ閉合状態を形成する。この状態下において、該突っ張り棒４は２つの開閉板１、２を支持する作用がある。
【００１０】
図４に示すように、突っ張り棒４の外管４１と内棒４２を相対的に伸長させると、２つの開閉板１、２を移動させることができる。図５に示すように、屋根を少し開いた状態に制御したい場合、開閉板１の突っ張り棒４を少し伸ばし、開閉板２の突っ張り棒４を少し短くすると、開閉板１の折辺１１が開閉板２から離れ、気流の通り道が形成され、このとき、該折辺１１はまだ開閉板２の上方に位置しているため、雨よけ機能が維持される。
【００１１】
図６に示すように、突っ張り棒４の外管４１と内棒４２をさらに相対的に伸長させると、２つの開閉板１、２が垂直に近い位置まで移動し、屋根が全開の状態となり開放された天窓形態を形成し、日光を温室内に十分に取り込むことができる。
【実施例２】
【００１２】
図７に示すように、屋根の２つの開閉板1A、2Aを弧形に設け、組み合わせて円形の屋根としてもよく、該開閉板1A、2Aの下には同様に突っ張り棒4Aが設置され、この形態も本考案の実施例の１つとすることができる。
【実施例３】
【００１３】
また、図８に示すように、突っ張り棒4Bの外管41Bを長く設け、２つの開閉板1B、2Bの突っ張り棒4Bを交差させて配置してもよく、これにより突っ張り棒4Bにより大きな伸縮距離を持たせることができる。    
【実施例４】
【００１４】
図９に示すように、温室の上部に遮光板５（またはその他剛性の構造物）を設ける場合、突っ張り棒4Cを遮光板５と開閉板1C、2Cの間に設け、該突っ張り棒4Cが伸縮することにより開閉板1C、2Cを動かし、屋根の閉合を制御することができる。
【実施例５】
【００１５】
図１０に示すように、突っ張り棒4Dの外管41Dに短管の形態を採用して遮光板５上に軸接し、外管41Dの一端が位置決め部品46Dにより接続部品43Dに連結され、該接続部品43Dの二端は位置決め部品46D、47Dとし、該接続部品43D内に相互に噛み合うネジ棒44Dと環状歯車45Dを設置し、内棒42Dを接続部品43Dに穿通し環状歯車45Dの内側に噛合する。動力が該ネジ棒44D、環状歯車45Dの伝達を介し、該内棒42Dを軸方向に移動させ、図１１に示すように、該内棒42Dの棒体が外管41D上端から遮光板５を穿出し、同時に開閉板1D、2Dを動かし、屋根が開く  
【図面の簡単な説明】
【００１６】
【図１】本考案の温室屋根の構造を示す立体図である。
【図２】本考案の突っ張り棒の立体分解図である。
【図３】本考案の温室屋根の閉じた状態を示す平面図である。
【図４】本考案の突っ張り棒の動作を示す透視図である。
【図５】本考案の温室屋根の微開状態を示す平面図である。
【図６】本考案の温室屋根の全開状態を示す平面図である。
【図７】本考案を円形の屋根に実施した例を示す平面図である。
【図８】本考案の長い突っ張り棒を用いた実施例を示す平面図である。
【図９】本考案の遮光板を備えた屋根に実施した例を示す平面図である。
【図１０】本考案の遮光板を備えた屋根に実施した別の例を示す平面図と部分拡大透視図である。
【図１１】図１０の屋根の全開状態を示す平面図と部分拡大透視図である。
【符号の説明】
【００１７】
１、１A、１B、１C、１D        開閉板
１１    折辺
１２    支持フレーム
２、２A、２B、２C、２D        開閉板
２１    支持フレーム
３    温室上部桁
４、４A、４B、４Ｃ、４D    突っ張り棒
４０    モーター
４１、４１B、４１D    外管
４２、４２B、４２D    内棒
４３、４３D    接続部品
４３１    筒体
４４、４４D    ネジ棒
４４１    接続棒
４５、４５D    環状歯車
４５０    軸受リング
４５１    ネジ孔
４６、４６D    位置決め部品
４７、４７D    位置決め部品
４８    位置決め部品
４９    ピン
５        遮光板
【図１】
0003104808.tif 000003
【図２】
0003104808.tif 000004
【図３】
0003104808.tif 000005
【図４】
0003104808.tif 000006
【図５】
0003104808.tif 000007
【図６】
0003104808.tif 000008
【図７】
0003104808.tif 000009
【図８】
0003104808.tif 000010
【図９】
0003104808.tif 000011
【図１０】
0003104808.tif 000012
【図１１】
0003104808.tif 000013